(57)【要約】無線基地局（２）と移動体通信端末（１）との相互の通信をＴＤＭＡ−ＴＤＤ方式の無線回線において行う際、無線基地局（２）により、移動体通信端末（１）毎の下り方向および／または上り方向で伝送されるデータ量に応じて、１または複数のスロットでのデータ伝送方向の設定を変更して下り回線または上り回線の回線容量を変更する。
2003039059.tif 000002
【特許請求の範囲】
【請求項１】
無線基地局と移動体通信端末との相互の通信をＴＤＭＡ−ＴＤＤ方式の無線回線において行う際、上記無線基地局により、上記移動体通信端末毎の下り方向および／または上り方向で伝送されるデータ量に応じて、１または複数のスロットでのデータ伝送方向の設定を変更して下り回線または上り回線の回線容量を変更することを特徴とするＴＤＭＡ−ＴＤＤ方式無線回線による非対称伝送方法。
【請求項２】
前記データ伝送方向の設定として、下り回線専用、上り回線専用、および下り回線と上り回線の双方向用のいずれかを選択することを特徴とする請求の範囲第１項記載のＴＤＭＡ−ＴＤＤ方式無線回線による非対称伝送方法。
【請求項３】
前記移動体通信端末から前記無線基地局へ前記データ伝送方向の設定の変更要求を送信し、
前記無線基地局から前記移動体通信端末へ前記データ伝送方向の設定の変更完了の通知を送信し、
前記無線基地局および前記移動体通信端末により、前記データ伝送方向の設定を変更したタイミングより後のフレームにおいて変更後の前記データ伝送方向で無線通信を行うこと、
を特徴とする請求の範囲第１項記載のＴＤＭＡ−ＴＤＤ方式無線回線による非対称伝送方法。
【請求項４】
前記移動体通信端末から前記無線基地局へ前記データ伝送方向の設定の変更要求を、制御チャネルまたはその移動体通信端末が使用可能な上り回線の通信チャネルを介して送信することを特徴とする請求の範囲第３項記載のＴＤＭＡ−ＴＤＤ方式無線回線による非対称伝送方法。
【請求項５】
前記移動体通信端末から前記無線基地局へ前記データ伝送方向の設定の変更要求を、制御チャネルおよびその移動体通信端末が使用可能な上り回線の通信チャネルのうち、ＴＤＭＡの割り当てサイクルが早く到来するものを介して送信することを特徴とする請求の範囲第４項記載のＴＤＭＡ−ＴＤＤ方式無線回線による非対称伝送方法。
【請求項６】
前記無線基地局から前記移動体通信端末へ前記データ伝送方向の設定の変更完了の通知を、制御チャネルまたはその移動体通信端末が使用可能な下り回線の通信チャネルを介して送信することを特徴とする請求の範囲第３項記載のＴＤＭＡ−ＴＤＤ方式無線回線による非対称伝送方法。
【請求項７】
前記無線基地局から前記移動体通信端末へ前記データ伝送方向の設定の変更完了の通知を、制御チャネルおよびその移動体通信端末が使用可能な下り回線の通信チャネルのうち、ＴＤＭＡの割り当てサイクルが早く到来するものを介して送信することを特徴とする請求の範囲第６項記載のＴＤＭＡ−ＴＤＤ方式無線回線による非対称伝送方法。
【請求項８】
１または複数の移動体通信端末と無線基地局との間で無線通信を行うＴＤＭＡ−ＴＤＤ方式の無線通信システムにおいて、
上記移動体通信端末は、ＴＤＭＡ−ＴＤＤ方式で上記無線基地局に接続し、割り当てられたスロットでの上り方向のデータ量と下り方向のデータ量を監視し、上記各データ量と上記スロットでのデータ伝送方向の設定に基づいて、上記スロットでのデータ伝送方向の設定が適切であるか否かを判断し、上記スロットでのデータ伝送方向の設定が適切ではないと判断した場合に、上記スロットでのデータ伝送方向の設定の変更要求を上記無線基地局へ送信し、
上記無線基地局は、ＴＤＭＡ−ＴＤＤ方式で１または複数の上記移動体通信端末にアクセスされ、上記移動体通信端末から上記データ伝送方向の設定の変更要求を受信すると、その要求に応じて、上記移動体通信端末に割り当てられたスロットでの上記データ伝送方向の設定を変更すること、
を特徴とするＴＤＭＡ−ＴＤＤ方式の無線通信システム
【請求項９】
１または複数の移動体通信端末との間で無線通信を行うＴＤＭＡ−ＴＤＤ方式の無線基地局において、
ＴＤＭＡ−ＴＤＤ方式で１または複数の上記移動体通信端末を接続され、上記移動体通信端末からデータ伝送方向の設定の変更要求を受信すると、その要求に応じて、上記移動体通信端末に割り当てられたスロットでの上記データ伝送方向の設定を変更することを特徴とするＴＤＭＡ−ＴＤＤ方式の無線基地局。
【請求項１０】
前記データ伝送方向の設定の変更要求に応じて、前記データ伝送方向を、下り回線専用、上り回線専用、および下り回線と上り回線の双方向用のいずれかに設定することを特徴とする請求の範囲第９項記載のＴＤＭＡ−ＴＤＤ方式の無線基地局。
【請求項１１】
前記移動体通信端末への前記データ伝送方向の設定の変更完了の通知を、制御チャネルまたはその移動体通信端末が使用可能な下り回線の通信チャネルを介して送信することを特徴とする請求の範囲第９項記載のＴＤＭＡ−ＴＤＤ方式の無線基地局。
【請求項１２】
前記移動体通信端末への前記データ伝送方向の設定の変更完了の通知を、制御チャネルおよびその移動体通信端末が使用可能な下り回線の通信チャネルのうち、ＴＤＭＡの割り当てサイクルが早く到来するものを介して送信することを特徴とする請求の範囲第９項記載のＴＤＭＡ−ＴＤＤ方式の無線基地局。
【請求項１３】
無線基地局との間で無線通信を行うＴＤＭＡ−ＴＤＤ方式の移動体通信端末において、
ＴＤＭＡ−ＴＤＤ方式で上記無線基地局に接続し、割り当てられたスロットでの上り方向のデータ量と下り方向のデータ量を監視し、上記各データ量と上記スロットでのデータ伝送方向の設定に基づいて、上記スロットでのデータ伝送方向の設定が適切であるか否かを判断し、上記スロットでのデータ伝送方向の設定が適切ではないと判断した場合に、上記スロットでのデータ伝送方向の設定の変更要求を上記無線基地局へ送信することを特徴とするＴＤＭＡ−ＴＤＤ方式の移動体通信端末。
【請求項１４】
前記データ伝送方向の設定として、下り回線専用、上り回線専用、および下り回線と上り回線の双方向用のいずれかを選択することを特徴とする請求の範囲第１３項記載のＴＤＭＡ−ＴＤＤ方式の移動体通信端末。
【請求項１５】
前記無線基地局への前記データ伝送方向の設定の変更要求を、制御チャネルまたはその移動体通信端末が使用可能な上り回線の通信チャネルを介して送信することを特徴とする請求の範囲第１３項記載のＴＤＭＡ−ＴＤＤ方式の移動体通信端末。
【請求項１６】
前記無線基地局への前記データ伝送方向の設定の変更要求を、制御チャネルおよびその移動体通信端末が使用可能な上り回線の通信チャネルのうち、ＴＤＭＡの割り当てサイクルが早く到来するものを介して送信することを特徴とする請求の範囲第１３項記載のＴＤＭＡ−ＴＤＤ方式の移動体通信端末。
【発明の詳細な説明】
技術分野
本発明は、移動体通信端末へ無線回線を提供するＰＨＳ（Ｐｅｒｓｏｎａｌ  Ｈａｎｄｙｐｈｏｎｅ  Ｓｙｓｔｅｍ）などのＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）方式の無線通信システム、その無線通信システムにおける移動体通信端末および無線基地局、並びに、その無線通信システムにおいて移動体通信端末と無線基地局との間で非対称の回線容量で無線通信を行うＴＤＭＡ−ＴＤＤ方式無線回線による非対称伝送方法に関するものである。
背景技術
ＴＤＭＡ−ＴＤＤ方式を採用している無線通信システムとして、日本国には電波産業会のＡＲＩＢ−ＳＴＤ２８に準拠したＰＨＳがあり、海外には欧州電気通信標準化機構（ＥＴＳＩ）の規格に準拠したＤＥＣＴ（Ｄｉｇｉｔａｌ  Ｅｎｈａｎｃｅｄ  Ｃｏｒｄｌｅｓｓ  Ｔｅｌｅｐｈｏｎｅ）システムがある。
ＰＨＳは、移動体通信端末から無線基地局に向かう上り回線と、無線基地局から移動体通信端末に向かう下り回線が同容量である対称なシステムである。
第２１図は、ＰＨＳのフレームフォーマットを示す図である。ＰＨＳの場合、１フレームは５ミリ秒で伝送される。また、１フレームは、８つのスロットＳＬ１〜ＳＬ８に分割され、４つのスロットＳＬ１〜ＳＬ４が下り回線に使用される受信専用スロットとされ、残りの４つのスロットＳＬ５〜ＳＬ８が上り回線に使用される送信専用スロットとされる。
また、各４つのスロットのうちの１つのスロットＳＬ１，ＳＬ５が、セル内のすべての移動体通信端末により制御チャネルに使用される。
そして、１つの受信専用スロットと１つの送信専用スロットが１台の移動体通信端末に割り当てられ、それらの受信専用スロットおよび送信専用スロットが、ユーザデータを送受信するための通信チャネルに使用される。
したがって、ある移動体通信端末に対してスロットＳＬ２，ＳＬ６が割り当てられ、他の移動体通信端末に対してスロットＳＬ３，ＳＬ７が割り当てられ、さらに他の移動体通信端末に対してスロットＳＬ４，ＳＬ８が割り当てられる。
このように、従来のＴＤＭＡ−ＴＤＤ方式の無線通信システムでは、各移動体通信端末に割り当てられる上り回線と下り回線との伝送容量が同一のものが多い。
しかしながら、昨今のインターネットの普及に伴い、データ通信を行う場合、上り回線で伝送されるデータより下り回線で伝送されるデータが多くなるため、従来のＴＤＭＡ−ＴＤＤ方式の無線通信システムでは、上り回線用のスロットの利用効率が低くなってしまうという問題がある。
本発明は、上記問題に鑑みてなされたものであり、既存のシステムを利用して、各移動体通信端末に割り当てられるスロットを効率良く使用して無線通信を行うことができるＴＤＭＡ−ＴＤＤ方式の無線通信システム、およびＴＤＭＡ−ＴＤＤ方式無線回線による非対称伝送方法、並びに、その無線通信システムにおける移動体通信端末および無線基地局を得ることを目的とする。
発明の開示
本発明のＴＤＭＡ−ＴＤＤ方式無線回線による非対称伝送方法は、無線基地局と移動体通信端末との相互の通信をＴＤＭＡ−ＴＤＤ方式の無線回線において行う際、無線基地局により、移動体通信端末毎の下り方向および／または上り方向で伝送されるデータ量に応じて、１または複数のスロットでのデータ伝送方向の設定を変更して下り回線または上り回線の回線容量を変更する。
これにより、既存のシステムを利用して、各移動体通信端末に割り当てられるスロットを効率良く使用して無線通信を行うことができる。
さらに、本発明のＴＤＭＡ−ＴＤＤ方式無線回線による非対称伝送方法は、上記発明の非対称伝送方法に加え、データ伝送方向の設定として、下り回線専用、上り回線専用、および下り回線と上り回線の双方向用のいずれかを選択するようにしたものである。
これにより、下り回線および上り回線の回線容量を細かく設定でき、スロットをより効率良く使用して無線通信を行うことができる。
さらに、本発明のＴＤＭＡ−ＴＤＤ方式無線回線による非対称伝送方法は、上記各発明の非対称伝送方法に加え、移動体通信端末から無線基地局へデータ伝送方向の設定の変更要求を送信し、無線基地局から移動体通信端末へデータ伝送方向の設定の変更完了の通知を送信し、無線基地局および移動体通信端末により、データ伝送方向の設定を変更したタイミングより後のフレームにおいて変更後のデータ伝送方向で無線通信を行うようにしたものである。
これにより、移動体通信端末および無線基地局が同一のタイミングで良好にデータ伝送方向を変更することができる。
さらに、本発明のＴＤＭＡ−ＴＤＤ方式無線回線による非対称伝送方法は、上記各発明の非対称伝送方法に加え、移動体通信端末から無線基地局へデータ伝送方向の設定の変更要求を、制御チャネルまたはその移動体通信端末が使用可能な上り回線の通信チャネルを介して送信するようにしたものである。
これにより、移動体通信端末から無線基地局へデータ伝送方向の設定の変更要求を送信する際の待ち時間を短くすることができ、データ伝送方向を迅速に変更することができる。
さらに、本発明のＴＤＭＡ−ＴＤＤ方式無線回線による非対称伝送方法は、上記各発明の非対称伝送方法に加え、移動体通信端末から無線基地局へデータ伝送方向の設定の変更要求を、制御チャネルおよびその移動体通信端末が使用可能な上り回線の通信チャネルのうち、ＴＤＭＡの割り当てサイクルが早く到来するものを介して送信するようにしたものである。
これにより、移動体通信端末から無線基地局へデータ伝送方向の設定の変更要求を送信する際の待ち時間を短くすることができ、データ伝送方向を迅速に変更することができる。
さらに、本発明のＴＤＭＡ−ＴＤＤ方式無線回線による非対称伝送方法は、上記各発明の非対称伝送方法に加え、無線基地局から移動体通信端末へデータ伝送方向の設定の変更完了の通知を、制御チャネルまたはその移動体通信端末が使用可能な下り回線の通信チャネルを介して送信するようにしたものである。
これにより、無線基地局から移動体通信端末へデータ伝送方向の設定の変更完了の通知を送信する際の待ち時間を短くすることができ、データ伝送方向を迅速に変更することができる。
さらに、本発明のＴＤＭＡ−ＴＤＤ方式無線回線による非対称伝送方法は、上記各発明の非対称伝送方法に加え、無線基地局から移動体通信端末へデータ伝送方向の設定の変更完了の通知を、制御チャネルおよびその移動体通信端末が使用可能な下り回線の通信チャネルのうち、ＴＤＭＡの割り当てサイクルが早く到来するものを介して送信するようにしたものである。
これにより、無線基地局から移動体通信端末へデータ伝送方向の設定の変更完了の通知を送信する際の待ち時間を短くすることができ、データ伝送方向を迅速に変更することができる。
本発明のＴＤＭＡ−ＴＤＤ方式の無線通信システムは、移動体通信端末が、割り当てられたスロットでの上り方向のデータ量と下り方向のデータ量を監視し、それらのデータ量とスロットでのデータ伝送方向の設定に基づいて、スロットでのデータ伝送方向の設定が適切であるか否かを判断し、スロットでのデータ伝送方向の設定が適切ではないと判断した場合に、スロットでのデータ伝送方向の設定の変更要求を無線基地局へ送信し、無線基地局が、移動体通信端末からデータ伝送方向の設定の変更要求を受信すると、その要求に応じて、移動体通信端末に割り当てられたスロットでのデータ伝送方向の設定を変更するようにしたものである。
これにより、既存のシステムを利用して、各移動体通信端末に割り当てられるスロットを効率良く使用して無線通信を行うことができる。
本発明のＴＤＭＡ−ＴＤＤ方式の無線基地局は、移動体通信端末からデータ伝送方向の設定の変更要求を受信すると、その要求に応じて、移動体通信端末に割り当てられたスロットでのデータ伝送方向の設定を変更する。
これにより、既存のシステムを利用して、各移動体通信端末に割り当てられるスロットを効率良く使用して無線通信を行うことができる。
さらに、本発明のＴＤＭＡ−ＴＤＤ方式の無線基地局は、上記各発明の無線基地局に加え、データ伝送方向の設定の変更要求に応じて、データ伝送方向を、下り回線専用、上り回線専用、および下り回線と上り回線の双方向用のいずれかに設定するようにしたものである。
これにより、下り回線および上り回線の回線容量を細かく設定でき、スロットをより効率良く使用して無線通信を行うことができる。
さらに、本発明のＴＤＭＡ−ＴＤＤ方式の無線基地局は、上記各発明の無線基地局に加え、移動体通信端末へのデータ伝送方向の設定の変更完了の通知を、制御チャネルまたはその移動体通信端末が使用可能な下り回線の通信チャネルを介して送信するようにしたものである。
これにより、移動体通信端末へのデータ伝送方向の設定の変更完了の通知を送信する際の待ち時間を短くすることができ、データ伝送方向を迅速に変更することができる。
さらに、本発明のＴＤＭＡ−ＴＤＤ方式の無線基地局は、上記各発明の無線基地局に加え、移動体通信端末へのデータ伝送方向の設定の変更完了の通知を、制御チャネルおよびその移動体通信端末が使用可能な下り回線の通信チャネルのうち、ＴＤＭＡの割り当てサイクルが早く到来するものを介して送信するようにしたものである。
これにより、移動体通信端末へのデータ伝送方向の設定の変更完了の通知を送信する際の待ち時間を短くすることができ、データ伝送方向を迅速に変更することができる。
本発明のＴＤＭＡ−ＴＤＤ方式の移動体通信端末は、割り当てられたスロットでの上り方向のデータ量と下り方向のデータ量を監視し、それらのデータ量とスロットでのデータ伝送方向の設定に基づいて、スロットでのデータ伝送方向の設定が適切であるか否かを判断し、スロットでのデータ伝送方向の設定が適切ではないと判断した場合に、スロットでのデータ伝送方向の設定の変更要求を無線基地局へ送信する。
これにより、既存のシステムを利用して、各移動体通信端末に割り当てられるスロットを効率良く使用して無線通信を行うことができる。
さらに、本発明のＴＤＭＡ−ＴＤＤ方式の移動体通信端末は、上記発明の移動体通信端末に加え、データ伝送方向の設定として、下り回線専用、上り回線専用、および下り回線と上り回線の双方向用のいずれかを選択するようにしたものである。
これにより、下り回線および上り回線の回線容量を細かく設定でき、スロットをより効率良く使用して無線通信を行うことができる。
さらに、本発明のＴＤＭＡ−ＴＤＤ方式の移動体通信端末は、上記各発明の移動体通信端末に加え、無線基地局へのデータ伝送方向の設定の変更要求を、制御チャネルまたはその移動体通信端末が使用可能な上り回線の通信チャネルを介して送信するようにしたものである。
これにより、無線基地局へデータ伝送方向の設定の変更要求を送信する際の待ち時間を短くすることができ、データ伝送方向を迅速に変更することができる。
さらに、本発明のＴＤＭＡ−ＴＤＤ方式の移動体通信端末は、無線基地局へのデータ伝送方向の設定の変更要求を、制御チャネルおよびその移動体通信端末が使用可能な上り回線の通信チャネルのうち、ＴＤＭＡの割り当てサイクルが早く到来するものを介して送信するようにしたものである。
これにより、無線基地局へデータ伝送方向の設定の変更要求を送信する際の待ち時間を短くすることができ、データ伝送方向を迅速に変更することができる。
発明を実施するための最良の形態
以下、図に基づいて本発明の実施の形態を説明する。
なお、本実施の形態はＰＨＳを改変して実現されるものであり、その物理層は、ＰＨＳのものと同一でよく、そのデータリンク層は、ＰＨＳのものに、スロットでのデータ伝送方向の設定を変更する機能を追加したものでよい。ここでは、本発明を適用する既存のシステムをＰＨＳとして説明するが、例えばＤＥＣＴシステムといった他のＴＤＭＡ−ＴＤＤ方式の無線通信システムにも、同様に本発明を適用可能である。
第１図は、本発明の実施の形態に係る無線通信システムの構成を示すブロック図である。第１図において、移動体通信端末１は、ＴＤＭＡ−ＴＤＤ方式におけるスロットを無線基地局２から割り当てられ、そのスロットで無線通信を行い、上り方向のデータ量と下り方向のデータ量に応じて、割り当てられたスロットでのデータ伝送方向の設定の変更要求を無線基地局２へ送信可能な移動体電話機、ＰＤＡ（Ｐｅｒｓｏｎａｌ  Ｄｉｇｉｔａｌ  Ａｓｓｉｔａｎｔ）、ハンドヘルドコンピュータといった装置である。
また、無線基地局２は、ＴＤＭＡ−ＴＤＤ方式で１または複数の移動体通信端末１と無線通信を行い、スロットでのデータ伝送方向の設定の変更要求を移動体通信端末１から受信すると、その要求に応じてデータ伝送方向の設定を変更する装置である。
また、公衆網３は、複数の無線基地局２間を接続したり、インターネットなどの他のネットワークに接続される通信網である。なお、公衆網３の代わりに、この無線通信システム専用の通信網を使用してもよい。
なお、第１図においては、説明を簡単にするため、移動体通信端末１と無線基地局２がそれぞれ１つだけ記載されているが、実際には、１つの無線基地局２の収容する移動体通信端末１は複数台でも勿論よく、無線基地局２は、一定のエリアをカバーするように複数設けられている。
第２図は、本実施の形態における無線基地局２の構成例を示すブロック図である。第２図において、アンテナ２１は、電波を感受または放射する装置であり、アンテナ共用部２２は、アンテナ２１を受信用アンテナおよび送信用アンテナとして使用するための回路である。
また、受信部２３は、感受されたＲＦ信号から、移動体通信端末１より伝送されてきた信号を抽出する回路である。
また、送信部２４は、移動体通信端末１へ伝送する信号をＲＦ信号に変換し、出力する回路である。
また、信号処理部２５は、スロットの割り当てなどの各種処理を行い、受信部２３により受信された信号を音声通信やデータ通信におけるデータに変換したり、送信部２４により送信される信号へ、音声通信やデータ通信におけるデータを変換したりする回路である。
また、信号処理部２５に接続されるネットワーク通信部２６は、公衆網３に接続され、公衆網３を介して音声通信やデータ通信を行う回路である。
また、制御部２７は、各部を制御する回路である。
また、メモリ２８は、各スロットについて、スロット番号、割り当てられた移動体通信端末１の識別子ＰＳ−ＩＤ、データ伝送方向の種別を示すスロットコードなどを含むフレーム管理テーブル３１を記憶するＲＡＭなどのメモリである。なお、スロットコードの値「１」は、そのスロットが下り回線専用であることを示し、スロットコードの値「２」は、そのスロットが上り回線専用であることを示し、スロットコードの値「３」は、そのスロットが双方向用であることを示す。
第３図は、無線基地局２に記憶されるフレーム管理テーブル３１の一例を示す図である。第３図に示すフレーム管理テーブル３１では、識別子ＰＳ−ＩＤが「ＡＢＣ１２３４」である移動体通信端末１に、スロット番号が「２」と「６」の２つのスロットが割り当てられ、スロット番号「２」のスロットは、スロットコードの値「１」により下り回線専用に設定され、スロット番号「６」のスロットは、スロットコードの値「２」により上り回線専用に設定されている。また、このフレーム管理テーブル３１では、識別子ＰＳ−ＩＤが「ＡＢＣ５６７８」である移動体通信端末１に、スロット番号が「３」と「７」の２つのスロットが割り当てられ、スロット番号「３」のスロットは、スロットコードの値「１」により下り回線専用に設定され、スロット番号「７」のスロットは、スロットコードの値「２」により上り回線専用に設定されている。
第４図は、本実施の形態における移動体通信端末１の構成例を示すブロック図である。第４図において、アンテナ４１は、電波を感受または放射する装置であり、アンテナ共用部４２は、アンテナ４１を受信用アンテナおよび送信用アンテナとして使用するための回路である。
また、受信部４３は、感受されたＲＦ信号から、無線基地局２より伝送されてきた信号を抽出する回路である。
また、送信部４４は、無線基地局２へ伝送する信号をＲＦ信号に変換し、出力する回路である。
また、信号処理部４５は、各種処理を行い、受信部４３により受信された信号を音声通信やデータ通信におけるデータに変換したり、送信部４４により送信される信号へ、音声通信やデータ通信におけるデータを変換したりする回路である。
また、制御部４６は、各部を制御する回路である。
また、コンピュータ４７は、各種情報処理を行い、信号処理部４５との間でデータの授受を行う装置である。なお、移動体通信端末１が移動体電話機である場合には、内蔵のマイクロコンピュータがコンピュータ４７とされる。また、移動体通信端末１がＰＤＡやハンドヘルドコンピュータである場合には、その装置自体がコンピュータ４７となり、第４図におけるその他の構成要素がそれらの装置に内蔵されたり、その他の構成要素が内蔵されるＰＣカードなどが所定のインタフェースを介してその装置に接続される。
次に、上記無線通信システムの動作について説明する。第５図は、本実施の形態の無線通信システムにおけるスロットでのデータ伝送方向の設定の変更を示すシーケンス図である。
まず、移動体通信端末１は、データ通信を開始する場合、初期状態として、無線基地局２によりフレーム管理テーブル３１に基づいて、下り回線専用のスロットおよび上り回線専用のスロットを１つずつ割り当てられる。第６図は、初期状態における各スロットでのデータ伝送方向の設定の一例を示す図である。なお、図中の記号「（Ｒ）」は、下り回線用スロット、すなわち、移動体通信端末１からみた受信専用スロットであることを示し、記号「（Ｔ）」は、上り回線用スロット、すなわち、移動体通信端末１からみた送信専用スロットであることを示している。例えば、第６図に示す下り回線専用のスロットＳＬ３および上り回線専用のスロットＳＬ７が、移動体通信端末１に割り当てられる。
以後、無線基地局２は、フレーム管理テーブル３１におけるスロットコードの値に基づいて各スロットでのデータ伝送方向を決定し、収容した各移動体通信端末１と無線通信を行う。
一方、移動体通信端末１は、割り当てられたスロットを使用して、各種アプリケーションに関するデータ通信を実行する。その際、移動体通信端末１のコンピュータ４７または制御部４６が、上り方向の伝送データ量と下り方向の伝送データ量を監視する。
そして、移動体通信端末１のコンピュータ４７または制御部４６は、現状の上り方向および下り方向の伝送データ量および割り当てられたスロットでのデータ伝送方向の設定に基づいて、現時点でのデータ伝送方向の設定が適切であるか否かを判断する（ステップＳ１）。
例えば、移動体通信端末１で実行中のアプリケーションプログラムにおいてデータ量の大きいファイルのダウンロードのイベントが発生したときに、下り回線専用のスロットが１つだけである場合には、下り回線の容量が不足するため、データ伝送方向の設定が適切ではないと判断される。
また、例えば、上り方向のデータ伝送量に対して下り方向のデータ伝送量が増加してきたときに、下り回線専用のスロットが１つだけである場合には、下り回線の容量が不足するため、データ伝送方向の設定が適切ではないと判断される。
また、例えば、下り方向のデータ伝送量が所定の閾値を超えたときに、下り回線専用のスロットが１つだけである場合には、下り回線の容量が不足するため、データ伝送方向の設定が適切ではないと判断される。
この他、同様に、例えば、移動体通信端末１で実行中のアプリケーションプログラムにおいてデータ量の大きいファイルのアップロードのイベントが発生したときや、下り方向のデータ伝送量に対して上り方向のデータ伝送量が増加してきたときや、上り方向のデータ伝送量が所定の閾値を超えたときに、上り回線専用のスロットが１つだけである場合には、上り回線の容量が不足するため、データ伝送方向の設定が適切ではないと判断される。
データ伝送方向の設定が適切ではない場合には、移動体通信端末１のコンピュータ４７または制御部４６は、そのデータ伝送方向の設定を変更させる要求（以下、設定変更要求という）を送信するチャネルを選択する（ステップＳ２）。
この際、コンピュータ４７または制御部４６は、上り方向の通信チャネルおよび制御チャネルのいずれかを選択する。なお、上り方向の通信チャネルとしては、上り回線専用スロットまたは双方向用のスロットにおけるチャネルがある。例えば、移動体通信端末１は、上り方向の通信チャネルおよび制御チャネルのうち、ＴＤＭＡの割当サイクルが早く到来するスロットのチャネルを選択する。また、移動体通信端末１は、いずれかのチャネルを優先的に選択するようにしてもよい。
そして、移動体通信端末１は、信号処理部４５、送信部４４、アンテナ共用部４２およびアンテナ４１により、選択したチャネルを介して設定変更要求を送信する（ステップＳ３）。なお、この要求は制御情報として送信される。また、この要求には、スロット番号、変更後のスロットコードなどが含まれる。
第７図は、上り回線専用スロットのデータフォーマットの一例を示す図である。第８図は、双方向用スロットのデータフォーマットの一例を示す図である。
移動体通信端末１が上り回線専用スロットを使用して制御情報を無線基地局２に送信する場合、第７図に示すように、ユーザデータなどのデータとともに制御情報を、割り当てられているスロット内で送信する。
第８図に示すように、双方向用スロットは、受信スロットと送信スロットに、すなわち下り回線用スロットと上り回線用スロットに分割される。なお、双方向用スロットは、受信スロットと送信スロットに２等分してもよいし、一方を他方より長くしてもよい。移動体通信端末１が双方向用スロットを使用して制御情報を無線基地局２に送信する場合、第８図に示すように、双方向用スロット内の送信スロットにおいてユーザデータなどの送信データとともに制御情報を送信する。
なお、制御チャネルを使用する場合には、移動体通信端末１は、ＰＨＳの通常の制御情報と同様にして、その要求を制御情報に含めて送信すればよい。
無線基地局２の制御部２７は、制御チャネルまたは上り回線の通信チャネルを介して送信されてくるデータや制御情報を監視する。すなわち、アンテナ２１、アンテナ共用部２２、受信部２３および信号処理部２５により各チャネルのデータや制御情報が受信され、制御部２７により監視される。
無線基地局２の制御部２７は、制御情報として設定変更要求を検出すると、その要求に応じて、データ伝送方向の設定変更の対象となるスロットを特定し、データ伝送方向の設定を変更する（ステップＳ４）。このとき、制御部２７は、フレーム管理テーブル３１におけるそのスロットに対するスロットコードの値を変更する。
そして、無線基地局２の制御部２７は、データ伝送方向の設定を変更した後、データ伝送方向の設定を変更しデータ伝送方向を変更する準備が完了した旨の通知（以下、準備完了通知という）を送信するチャネルを選択する（ステップＳ５）。
この際、無線基地局２の制御部２７は、その移動体通信端末１への下り回線の通信チャネルおよび制御チャネルのいずれかを選択する。なお、下り回線の通信チャネルとしては、下り回線専用スロットまたは双方向用のスロットにおけるチャネルがある。例えば、無線基地局２は、下り回線の通信チャネルおよび制御チャネルのうち、ＴＤＭＡの割り当てサイクルが早く到来するスロットのチャネルを選択する。また、無線基地局２は、いずれかのチャネルを優先的に選択するようにしてもよい。
そして、無線基地局２は、信号処理部２５、送信部２４、アンテナ共用部２２およびアンテナにより、選択したチャネルを介して準備完了通知をその移動体通信端末１に送信する（ステップＳ６）。
その後、次のフレーム以降において、無線基地局２は、フレーム管理テーブル３１を参照して、変更後のデータ伝送方向の設定に従ってその移動体通信端末１との無線通信を行う（ステップＳ７）。
また、移動体通信端末１は、設定変更要求を送信した後、アンテナ４１、アンテナ共用部４２、受信部４３および信号処理部４５により準備完了通知を受信すると、次のフレーム以降において、そのスロットでは変更後のデータ伝送方向でその無線基地局２との無線通信を行う（ステップＳ７）。
このようにして、移動体通信端末１の要求に応じて、その移動体通信端末１に割り当てられているスロットでのデータ伝送方向の設定が変更される。
次に、割り当てられたスロットを、上り回線専用のスロットから下り回線専用のスロットへ変更する場合について説明する。なお、下り方向のデータ量が増加した場合や、上り方向のデータ量が減少した場合などに、このようにスロットの設定が変更される。
ここでは、一例として、変更前の各スロットの設定が第３図および第６図に示すものであり、識別子ＰＳ−ＩＤが「ＡＢＣ１２３４」である移動体通信端末１が、スロットＳＬ６を上り回線専用のスロットから下り回線専用のスロットへ変更する場合について説明する。第９図は、スロットＳＬ６を下り回線専用のスロットに設定した後のフレーム管理テーブル３１の一例を示す図である。第１０図は、スロットＳＬ６を下り回線専用のスロットに設定した後のフレームフォーマットの一例を示す図である。
この場合、この移動体通信端末１は、スロットＳＬ６の上り回線の通信チャネルまたはスロットＳＬ５の制御チャネルを介して、スロットＳＬ６についての設定変更要求を含む制御情報を無線基地局２へ送信する。
無線基地局２は、この設定変更要求を受信すると、この設定変更要求に基づいて、フレーム管理テーブル３１におけるスロットＳＬ６のスロットコードの値を、第９図に示すように、下り回線専用を示す「１」に変更する。
その後、無線基地局２は、その移動体通信端末１に割り当てられたスロットＳＬ２の下り回線の通信チャネルまたはスロットＳＬ１の制御チャネルを介して、その移動体通信端末１に準備完了通知を送信する。
そして、次のフレーム以降において、第１０図に示すように、その移動体通信端末１と無線基地局２は、スロットＳＬ６を下り回線専用のスロットとして無線通信を実行する。
次に、割り当てられたスロットを、下り回線専用のスロットから上り回線専用のスロットへ変更する場合について説明する。なお、上り方向のデータ量が増加した場合や、下り方向のデータ量が減少した場合などに、このようにスロットの設定が変更される。
ここでは、一例として、変更前の各スロットの設定が第９図および第１０図に示すものであり、識別子ＰＳ−ＩＤが「ＡＢＣ５６７８」である移動体通信端末１が、スロットＳＬ３を下り回線専用のスロットから上り回線専用のスロットへ変更する場合について説明する。第１１図は、スロットＳＬ３を上り回線専用のスロットに設定した後のフレーム管理テーブル３１の一例を示す図である。第１２図は、スロットＳＬ３を上り回線専用のスロットに設定した後のフレームフォーマットの一例を示す図である。
この場合、この移動体通信端末１は、既に割り当てられている上り回線専用のスロットＳＬ７の通信チャネルまたはスロットＳＬ５の制御チャネルを介して、スロットＳＬ３についての設定変更要求を含む制御情報を無線基地局２へ送信する。
無線基地局２は、この設定変更要求を受信すると、この設定変更要求に基づいて、フレーム管理テーブル３１におけるスロットＳＬ３のスロットコードの値を、第１１図に示すように、上り回線専用を示す「２」に変更する。
その後、無線基地局２は、スロットＳＬ３の通信チャネルまたはスロットＳＬ１の制御チャネルを介して、その移動体通信端末１に準備完了通知を送信する。
そして、次のフレーム以降において、第１２図に示すように、その移動体通信端末１と無線基地局２は、スロットＳＬ３を上り回線専用のスロットとして無線通信を実行する。
次に、割り当てられたスロットを、上り回線専用のスロットから双方向用のスロットへ変更する場合について説明する。なお、下り方向のデータ量が増加した場合や、上り方向のデータ量が減少した場合などに、このようにスロットの設定が変更される。
ここでは、一例として、変更前の各スロットの設定が第３図および第６図に示すものであり、識別子ＰＳ−ＩＤが「ＡＢＣ５６７８」である移動体通信端末１が、スロットＳＬ７を上り回線専用のスロットから双方向用のスロットへ変更する場合について説明する。第１３図は、スロットＳＬ７を双方向用のスロットに設定した後のフレーム管理テーブル３１の一例を示す図である。第１４図は、スロットＳＬ７を双方向用のスロットに設定した後のフレームフォーマットの一例を示す図である。
この場合、この移動体通信端末１は、スロットＳＬ７の上り回線の通信チャネルまたはスロットＳＬ５の制御チャネルを介して、スロットＳＬ７についての設定変更要求を含む制御情報を無線基地局２へ送信する。
無線基地局２は、この設定変更要求を受信すると、この設定変更要求に基づいて、フレーム管理テーブル３１におけるスロットＳＬ７のスロットコードの値を、第１３図に示すように、双方向用を示す「３」に変更する。
その後、無線基地局２は、その移動体通信端末１に割り当てられたスロットＳＬ３の下り回線の通信チャネルまたはスロットＳＬ１の制御チャネルを介して、その移動体通信端末１に準備完了通知を送信する。
そして、次のフレーム以降において、第１４図に示すように、その移動体通信端末１と無線基地局２は、スロットＳＬ７を双方向用のスロットとして無線通信を実行する。
次に、割り当てられたスロットを、双方向用のスロットから下り回線専用のスロットへ変更する場合について説明する。なお、下り方向のデータ量が増加した場合や、上り方向のデータ量が減少した場合などに、このようにスロットの設定が変更される。
ここでは、一例として、変更前の各スロットの設定が第１３図および第１４図に示すものであり、識別子ＰＳ−ＩＤが「ＡＢＣ５６７８」である移動体通信端末１が、スロットＳＬ７を双方向用のスロットから下り回線専用のスロットへ変更する場合について説明する。第１５図は、スロットＳＬ７を下り回線専用のスロットに設定した後のフレーム管理テーブル３１の一例を示す図である。第１６図は、スロットＳＬ７を下り回線専用のスロットに設定した後のフレームフォーマットの一例を示す図である。
この場合、この移動体通信端末１は、スロットＳＬ７の上り回線の通信チャネルまたはスロットＳＬ５の制御チャネルを介して、スロットＳＬ７についての設定変更要求を含む制御情報を無線基地局２へ送信する。
無線基地局２は、この設定変更要求を受信すると、この設定変更要求に基づいて、フレーム管理テーブル３１におけるスロットＳＬ７のスロットコードの値を、第１５図に示すように、下り回線専用を示す「１」に変更する。
その後、無線基地局２は、その移動体通信端末１に割り当てられたスロットＳＬ３，ＳＬ７の下り回線の通信チャネルまたはスロットＳＬ１の制御チャネルを介して、その移動体通信端末１に準備完了通知を送信する。
そして、次のフレーム以降において、第１６図に示すように、その移動体通信端末１と無線基地局２は、スロットＳＬ７を下り回線専用のスロットとして無線通信を実行する。
次に、割り当てられたスロットを、下り回線専用のスロットから双方向用のスロットへ変更する場合について説明する。なお、上り方向のデータ量が増加した場合や、下り方向のデータ量が減少した場合などに、このようにスロットの設定が変更される。
ここでは、一例として、変更前の各スロットの設定が第３図および第６図に示すものであり、識別子ＰＳ−ＩＤが「ＡＢＣ５６７８」である移動体通信端末１が、スロットＳＬ３を下り回線専用のスロットから双方向用のスロットへ変更する場合について説明する。第１７図は、スロットＳＬ３を双方向用のスロットに設定した後のフレーム管理テーブル３１の一例を示す図である。第１８図は、スロットＳＬ３を双方向用のスロットに設定した後のフレームフォーマットの一例を示す図である。
この場合、この移動体通信端末１は、既に割り当てられているスロットＳＬ７の上り回線の通信チャネルまたはスロットＳＬ５の制御チャネルを介して、スロットＳＬ３についての設定変更要求を含む制御情報を無線基地局２へ送信する。
無線基地局２は、この設定変更要求を受信すると、この設定変更要求に基づいて、フレーム管理テーブル３１におけるスロットＳＬ３のスロットコードの値を、第１７図に示すように、双方向用を示す「３」に変更する。
その後、無線基地局２は、スロットＳＬ３の下り回線の通信チャネルまたはスロットＳＬ１の制御チャネルを介して、その移動体通信端末１に準備完了通知を送信する。
そして、次のフレーム以降において、第１８図に示すように、その移動体通信端末１と無線基地局２は、スロットＳＬ３を双方向用のスロットとして無線通信を実行する。
次に、割り当てられたスロットを、双方向用のスロットから上り回線専用のスロットへ変更する場合について説明する。なお、上り方向のデータ量が増加した場合や、下り方向のデータ量が減少した場合などに、このようにスロットの設定が変更される。
ここでは、一例として、変更前の各スロットの設定が第１７図および第１８図に示すものであり、識別子ＰＳ−ＩＤが「ＡＢＣ５６７８」である移動体通信端末１が、スロットＳＬ３を双方向用のスロットから上り回線専用のスロットへ変更する場合について説明する。第１９図は、スロットＳＬ３を上り回線専用のスロットに設定した後のフレーム管理テーブル３１の一例を示す図である。第２０図は、スロットＳＬ３を上り回線専用のスロットに設定した後のフレームフォーマットの一例を示す図である。
この場合、この移動体通信端末１は、既に割り当てられているスロットＳＬ３，ＳＬ７の上り回線の通信チャネルまたはスロットＳＬ５の制御チャネルを介して、スロットＳＬ３についての設定変更要求を含む制御情報を無線基地局２へ送信する。
無線基地局２は、この設定変更要求を受信すると、この設定変更要求に基づいて、フレーム管理テーブル３１におけるスロットＳＬ３のスロットコードの値を、第１９図に示すように、上り回線専用を示す「２」に変更する。
その後、無線基地局２は、スロットＳＬ３の下り回線の通信チャネルまたはスロットＳＬ１の制御チャネルを介して、その移動体通信端末１に準備完了通知を送信する。
そして、次のフレーム以降において、第２０図に示すように、その移動体通信端末１と無線基地局２は、スロットＳＬ３を上り回線専用のスロットとして無線通信を実行する。
以上のように、上記実施の形態によれば、無線基地局２により、移動体通信端末１毎の下り方向および／または上り方向で伝送されるデータ量に応じて、１または複数のスロットでのデータ伝送方向の設定を変更して下り回線または上り回線の回線容量を変更するので、既存のシステムを利用して、各移動体通信端末１に割り当てられるスロットを効率良く使用して無線通信を行うことができる。
また、上記実施の形態によれば、データ伝送方向の設定として、下り回線専用、上り回線専用、および下り回線と上り回線の双方向用のいずれかを選択するようにしたので、下り回線および上り回線の回線容量を細かく設定でき、スロットをより効率良く使用して無線通信を行うことができる。
さらに、上記実施の形態によれば、あるスロットについて、移動体通信端末１から無線基地局２へデータ伝送方向の設定の変更要求を送信し、無線基地局２から移動体通信端末１へデータ伝送方向の設定の変更完了の通知を送信し、無線基地局２および移動体通信端末１により、データ伝送方向の設定を変更したタイミングより後のフレームにおいて、そのスロットでは変更後のデータ伝送方向で無線通信を行うようにしたので、移動体通信端末１および無線基地局２が同一のタイミングで良好にデータ伝送方向を変更することができる。
さらに、上記実施の形態によれば、移動体通信端末１から無線基地局２へデータ伝送方向の設定の変更要求を、制御チャネルまたはその移動体通信端末１が使用可能な上り回線の通信チャネルを介して送信するようにしたので、移動体通信端末１から無線基地局２へデータ伝送方向の設定の変更要求を送信する際の待ち時間を短くすることができ、データ伝送方向を迅速に変更することができる。特に、ＴＤＭＡの割り当てサイクルが早く到来するチャネルを介して送信することで、データ伝送方向をより迅速に変更することができる。
なお、ＰＨＳのように、制御チャネルが、報知チャネルＢＣＣＨ、個別セルチャネルＳＣＣＨ、一斉呼び出しチャネルＰＣＨなどの複数の用途に使用される場合、制御チャネルの種類によっては伝送方向が単一方向であるため、通信チャネルを介して制御情報を送信できるようにすることで、この効果がより顕著になる。
さらに、上記実施の形態によれば、無線基地局２から移動体通信端末１へデータ伝送方向の設定の変更完了の通知を、制御チャネルまたはその移動体通信端末１が使用可能な下り回線の通信チャネルを介して送信するようにしたので、無線基地局２から移動体通信端末１へデータ伝送方向の設定の変更完了の通知を送信する際の待ち時間を短くすることができ、データ伝送方向を迅速に変更することができる。特に、ＴＤＭＡの割り当てサイクルが早く到来するチャネルを介して送信することで、データ伝送方向をより迅速に変更することができる。
なお、ＰＨＳのように、制御チャネルが、報知チャネルＢＣＣＨ、個別セルチャネルＳＣＣＨ、一斉呼び出しチャネルＰＣＨなどの複数の用途に使用される場合、制御チャネルの種類によっては伝送方向が単一方向であるため、通信チャネルを介して制御情報を送信できるようにすることで、この効果がより顕著になる。
なお、各スロットのデータ伝送方向の初期状態は、上記のようなＰＨＳのデータ伝送方向と同一なものに限定されるものではない。
また、上記実施の形態では１つの移動体通信端末１に割り当てるスロットの数が２であるが、他の数のスロットを割り当てる場合にも本発明を適用することができる。
さらに、上記実施の形態では、一度につき１つのスロットに対してデータ伝送方向の設定を変更しているが、一度につき２つ以上のスロットに対してデータ伝送方向の設定を変更することができるようにしてもよい。
さらに、上記実施の形態では、データ伝送方向の設定の変更要求が移動体通信端末１から無線基地局２へ送信され、それに基づいてその移動体通信端末１に割り当てられているスロットでのデータ伝送方向の設定が変更されるが、無線基地局２が各スロットでのデータ伝送量を監視し、無線基地局２が自律的にそのデータ伝送量に応じてデータ伝送方向の設定を変更し、その変更を移動体通信端末１へ通知するようにしてもよい。また、無線基地局２が各スロットでのデータ伝送量を監視し、無線基地局２がそのデータ伝送量に応じてデータ伝送方向の設定を変更要求を移動体通信端末１へ送信し、移動体通信端末１からデータ伝送方向変更の準備完了通知を受信した後、データ伝送方向を変更するようにしてもよい。
さらに、上記実施の形態では、初期状態でのデータ伝送方向が、上り方向と下り方向とが対称になるように設定されているが非対称になるように設定しても勿論よい。
さらに、上記実施の形態の無線通信システムは、データ量を監視し、そのデータ量に応じてデータ伝送方向の設定を変更するようにしているが、予め設定されているデータ伝送方向の設定をその通信の種別や予測されるデータ量に応じて変更した後にデータ通信を開始するようにしてもよい。
また、ＰＩＡＦＳ（ＰＨＳ  Ｉｎｔｅｒｎｅｔ  Ａｃｃｅｓｓ  Ｆｏｒｕｍ  Ｓｔａｎｄａｒｄ）に本発明を適用してもよく、その場合、同様の効果が得られる。
産業上の利用可能性
本発明によれば、既存のシステムを利用して、各移動体通信端末に割り当てられるスロットを効率良く使用して無線通信を行うことができる。ひいては、ユーザにとっては、実質的なデータ通信速度が向上し、通信事業者にとっては、データ量に応じた従量制課金の場合には収益の増加を見込むことができる。
【図面の簡単な説明】
第１図は、本発明の実施の形態に係る無線通信システムの構成を示すブロック図である。
第２図は、本実施の形態における無線基地局の構成例を示すブロック図である。
第３図は、本実施の形態に係る無線通信システムにおける無線基地局に記憶されるフレーム管理テーブルの一例を示す図である。
第４図は、本実施の形態における移動体通信端末の構成例を示すブロック図である。
第５図は、本実施の形態の無線通信システムにおけるスロットでのデータ伝送方向の設定の変更を示すシーケンス図である。
第６図は、本実施の形態に係る無線通信システムの初期状態における各スロットでのデータ伝送方向の設定の一例を示す図である。
第７図は、本実施の形態に係る無線通信システムの上り回線専用スロットのデータフォーマットの一例を示す図である。
第８図は、本実施の形態に係る無線通信システムの双方向用スロットのデータフォーマットの一例を示す図である。
第９図は、本実施の形態に係る無線通信システムで使用されるフレームフォーマットにおけるスロットＳＬ６を下り回線専用のスロットに設定した後のフレーム管理テーブルの一例を示す図である。
第１０図は、本実施の形態に係る無線通信システムで使用されるフレームフォーマットにおけるスロットＳＬ６を下り回線専用のスロットに設定した後のフレームフォーマットの一例を示す図である。
第１１図は、本実施の形態に係る無線通信システムで使用されるフレームフォーマットにおけるスロットＳＬ３を上り回線専用のスロットに設定した後のフレーム管理テーブルの一例を示す図である。
第１２図は、本実施の形態に係る無線通信システムで使用されるフレームフォーマットにおけるスロットＳＬ３を上り回線専用のスロットに設定した後のフレームフォーマットの一例を示す図である。
第１３図は、本実施の形態に係る無線通信システムで使用されるフレームフォーマットにおけるスロットＳＬ７を双方向用のスロットに設定した後のフレーム管理テーブルの一例を示す図である。
第１４図は、本実施の形態に係る無線通信システムで使用されるフレームフォーマットにおけるスロットＳＬ７を双方向用のスロットに設定した後のフレームフォーマットの一例を示す図である。
第１５図は、本実施の形態に係る無線通信システムで使用されるフレームフォーマットにおけるスロットＳＬ７を下り回線専用のスロットに設定した後のフレーム管理テーブルの一例を示す図である。
第１６図は、本実施の形態に係る無線通信システムで使用されるフレームフォーマットにおけるスロットＳＬ７を下り回線専用のスロットに設定した後のフレームフォーマットの一例を示す図である。
第１７図は、本実施の形態に係る無線通信システムで使用されるフレームフォーマットにおけるスロットＳＬ３を双方向用のスロットに設定した後のフレーム管理テーブルの一例を示す図である。
第１８図は、本実施の形態に係る無線通信システムで使用されるフレームフォーマットにおけるスロットＳＬ３を双方向用のスロットに設定した後のフレームフォーマットの一例を示す図である。
第１９図は、本実施の形態に係る無線通信システムで使用されるフレームフォーマットにおけるスロットＳＬ３を上り回線専用のスロットに設定した後のフレーム管理テーブルの一例を示す図である。
第２０図は、本実施の形態に係る無線通信システムで使用されるフレームフォーマットにおけるスロットＳＬ３を上り回線専用のスロットに設定した後のフレームフォーマットの一例を示す図である。
第２１図は、ＰＨＳのフレームフォーマットを示す図である。
【図１】
2003039059.tif 000003
【図２】
2003039059.tif 000004
【図３】
2003039059.tif 000005
【図４】
2003039059.tif 000006
【図５】
2003039059.tif 000007
【図６】
2003039059.tif 000008
【図７】
2003039059.tif 000009
【図８】
2003039059.tif 000010
【図９】
2003039059.tif 000011
【図１０】
2003039059.tif 000012
【図１１】
2003039059.tif 000013
【図１２】
2003039059.tif 000014
【図１３】
2003039059.tif 000015
【図１４】
2003039059.tif 000016
【図１５】
2003039059.tif 000017
【図１６】
2003039059.tif 000018
【図１７】
2003039059.tif 000019
【図１８】
2003039059.tif 000020
【図１９】
2003039059.tif 000021
【図２０】
2003039059.tif 000022
【図２１】
2003039059.tif 000023
【国際調査報告】
2003039059.tif 000024
2003039059.tif 000025
2003039059.tif 000026
2003039059.tif 000027